(57)【要約】      （修正有）【課題】レンズで発生した迷光を最大限に解消可能な、構成が簡単で、コストが低い結像レンズを提供する。【解決手段】結像レンズは、結像アセンブリ1と、プレスペーサー部材２と、鏡筒３と、スペーサーアセンブリ4とを備え、前記結像アセンブリ1は物体近接素子11と像近接素子13とを備え、前記物体近接素子11と前記像近接素子13は物体側から像側への方向に順次に間隔を隔てて設置されており、前記スペーサーアセンブリ4は前記物体近接素子11と前記像近接素子13との間に挟まれて設置され、前記スペーサーアセンブリ4は前記像近接素子13に正対向する第１の反射面と、前記第１の反射面に接続された第２の反射面とを備え、前記像近接素子13からの光線は第１の反射面と前記第２の反射面により２回反射される。【選択図】図２
2018013758.tif 000002
【特許請求の範囲】
【請求項１】
鏡筒と、結像アセンブリと、スペーサーアセンブリとを備え、前記鏡筒が光軸を取り囲むように設置され、収容空間を形成する鏡筒壁を備え、前記結像アセンブリが物体近接素子と像近接素子とを備え、前記物体近接素子と前記像近接素子が物体側から像側への方向に順次に間隔を隔てて前記収容空間に設置されており、前記スペーサーアセンブリが前記物体近接素子と前記像近接素子との間に挟まれて設置されている結像レンズであって、前記スペーサーアセンブリは前記像近接素子に正対向する第１の反射面と、前記第１の反射面に接続された第２の反射面とを備え、前記像近接素子からの光線は第１の反射面と前記第２の反射面により、２回反射されることを特徴とする
結像レンズ。
【請求項２】
前記第１の反射面は水平平面であり、前記第２の反射面は傾斜平面であることを特徴とする
請求項１に記載の結像レンズ。
【請求項３】
前記第１の反射面と前記第２の反射面との間のなす角は鈍角であることを特徴とする
請求項２に記載の結像レンズ。
【請求項４】
前記スペーサーアセンブリは、前記鏡筒壁に固定された固定部と、前記固定部から前記光軸の方向へ延伸する延伸部とを備え、前記固定部は第１の固定面と、第１の固定面に対向する第２の固定面と、前記第１の固定面から前記第２の固定面へ延伸し、且つ前記第２の固定面まで延伸していない延伸壁と、を備え、前記第１の反射面は前記延伸部に設けられ、前記延伸壁における、像近接素子に近い一端から前記光軸の方向へ延伸し、前記第２の反射面は前記固定部に設けられ、前記第２の固定面から前記光軸の方向へ傾斜延伸し、前記延伸壁における、像近接素子に近い一端まで傾斜延伸していることを特徴とする
請求項２に記載の結像レンズ。
【請求項５】
前記延伸部に、さらに前記延伸壁における、前記物体近接素子に近い一端から前記光軸の方向へ延伸する上表面と、上表面と前記第１の反射面とを接続する傾斜壁とが設けられており、前記傾斜壁は前記上表面から前記光軸に近い方向へ延伸していることを特徴とする
請求項４に記載の結像レンズ。
【請求項６】
前記鏡筒壁は、前記物体近接素子に当接する内面と、前記内面から、前記光軸から離れる方向へ延伸する階段面と、階段面から、前記内面から離れる方向へ延伸し、前記スペーサーアセンブリと前記像近接素子に当接する壁面とを備え、前記第１の固定面は前記階段面と間隔を隔てて設置されており、前記上表面は前記物体近接素子に当接していることを特徴とする
請求項５に記載の結像レンズ。
【請求項７】
前記第１の固定面は前記上表面と同一平面に位置することを特徴とする
請求項５に記載の結像レンズ。
【発明の詳細な説明】
【技術分野】
【０００１】
本発明は、撮影結像分野に関し、特に、迷光を除去可能な結像レンズに関する。
【０００２】
撮像レンズは、撮影結像デバイスにおいて非常に重要な光学アセンブリであり、その光学性能が結像品質に与える影響は非常に大きい。通常の結像レンズは、主に鏡筒と、複数（複数は２つ以上の数を意味する）の結像アセンブリと、複数のスペーサーアセンブリとを備える。結像アセンブリは、鏡筒の内部に設置されており、且つ、スペーサーアセンブリは、鏡筒と結像アセンブリとの間に設置されてもよく、二つの隣接する結像アセンブリの間に設置されてもよい。結像レンズの物体側に位置する撮影対象により出射された光線、又は反射された光線が鏡筒に入ると、結像レンズを介して結像レンズの像側における結像面に映像が形成される。
【０００３】
然しながら、スペーサーアセンブリが一定の厚さを有するため、迷光はスペーサーアセンブリの内周壁を介して放射され、像面に到達し、これによって、眩光（flare）又はゴースト（ghost）が生成されるおそれがある。特に、物体側に最も近い結像アセンブリによりスペーサーアセンブリの内周壁に反射され、発生した迷光は、特に影響が大きい。
【０００４】
関連技術では、図１に示すように、結像レンズ２は、鏡筒２１と、光軸に沿って該鏡筒２１の内部に取り付けられたレンズ２２とを有し、物体側に最も近いレンズ２２によりプラスチックスペーサー部材２３に反射され、発生した迷光による影響を解消するために、該レンズ２２とそれに隣接するレンズ２２との間に、物体側から像側までの方向において、プラスチックスペーサー部材２３とプレススペーサー部材２４が設置されており、プレススペーサー部材２４により、物体側に最も近いレンズ２２によりプラスチックスペーサー部材２３に反射され、発生した迷光は解消される。このような方法により、物体側に最も近いレンズ２２によりプラスチックスペーサー部材２３に反射され、発生した迷光は、一定の程度解消されるが、このような方法の場合、吸光性が小さく、物体側に最も近いレンズ２２によりプラスチックスペーサー部材２３に反射され発生した迷光を完全に解消することができず、且つ、構成が複雑すぎ、コストの削減に不利である。
【０００５】
従って、上記の技術課題を解決するために新型の結像レンズを提供する必要がある。
【発明の概要】
【発明が解決しようとする課題】
【０００６】
本発明は、吸光性が強く、構成が簡単で、コストが低く、且つ物体側に最も近い結像アセンブリによりプラスチックスペーサー部材に反射され、発生した迷光を最大限に解消可能な結像レンズを提供することを目的としている。
【課題を解決するための手段】
【０００７】
本発明により結像レンズが提供され、当該結像レンズは鏡筒と、結像アセンブリと、スペーサーアセンブリとを備え、前記鏡筒は光軸を取り囲むように設置され、収容空間を形成する鏡筒壁を備え、前記結像アセンブリは物体近接素子と像近接素子とを備え、前記物体近接素子と前記像近接素子は物体側から像側への方向において順次に間隔を隔てて前記収容空間に設置されており、前記スペーサーアセンブリは前記物体近接素子と前記像近接素子との間に挟まれて設置され、前記スペーサーアセンブリは前記像近接素子に正対向する第１の反射面と、前記第１の反射面に接続された第２の反射面とを備え、前記像近接素子からの光線は第１の反射面と前記第２の反射面により、２回反射される。
【０００８】
好ましくは、前記第１の反射面は水平平面であり、前記第２の反射面は傾斜平面である。
【０００９】
好ましくは、前記第１の反射面と前記第２の反射面との間のなす角は鈍角である。
【００１０】
好ましくは、前記スペーサーアセンブリは、前記鏡筒壁に固定された固定部と、前記固定部から前記光軸の方向へ延伸する延伸部とを備え、前記固定部は第１の固定面と、第１の固定面に対向する第２の固定面と、前記第１の固定面から前記第２の固定面へ延伸し、且つ前記第２の固定面まで延伸していない延伸壁と、を備え、前記第１の反射面は前記延伸部に設けられ、前記延伸壁における、像近接素子に近い一端から前記光軸の方向へ延伸し、前記第２の反射面は前記固定部に設けられ、前記第２の固定面から前記光軸の方向へ傾斜延伸し、前記延伸壁における、像近接素子に近い一端まで傾斜延伸している。
【００１１】
好ましくは、前記延伸部に、さらに前記延伸壁における、前記物体近接素子に近い一端から前記光軸の方向へ延伸する上表面と、上表面と前記第１の反射面とを接続する傾斜壁とが設けられており、前記傾斜壁は前記上表面から前記光軸に近い方向へ延伸している。
【００１２】
好ましくは、前記鏡筒壁は、前記物体近接素子に当接する内面と、前記内面から、前記光軸から離れる方向へ延伸する階段面と、階段面から、前記内面から離れる方向へ延伸し、前記スペーサーアセンブリと前記像近接素子に当接する壁面とを備え、前記第１の固定面は前記階段面と間隔を隔てて設置されており、前記上表面は前記物体近接素子に当接している。
【００１３】
好ましくは、前記第１の固定面は前記上表面と同一平面に位置する。
【００１４】
関連技術と比べ、本発明に係る結像レンズは以下の有益な効果を有する。
１．前記結像レンズは、鏡筒と、結像アセンブリと、スペーサーアセンブリとを備え、前記鏡筒は光軸を取り囲むように設置され、収容空間を形成する鏡筒壁を備え、前記結像アセンブリは前記収容空間に順次に間隔を隔てて設置された物体近接素子と像近接素子を備え、前記スペーサーアセンブリは前記物体近接素子と前記像近接素子との間に挟まれて設置されており、前記スペーサーアセンブリは前記像近接素子に正対向する第１の反射面と、前記第１の反射面に接続された第２の反射面とを備え、前記像近接素子からの光線は第１の反射面と前記第２の反射面により２回反射される。前記第１の反射面と前記第２の反射面を組み合わせて使用することにより、前記像近接素子により前記スペーサーアセンブリに出射された光線が２回反射され、そのため、前記スペーサーアセンブリの吸光性を大幅に向上させ、前記スペーサーアセンブリにより反射された迷光が最大限に解消される。
２．前記第１の反射面と前記第２の反射面は平面であり、つや消しの処理に有利であり、前記スペーサーアセンブリの吸光性も向上させる。
３．関連技術におけるプラスチックスペーサー部材とプレススペーサーアセンブリとが共に設けられた複雑な構成の代わりに、前記結像レンズは、簡単な前記スペーサーアセンブリを設置することにより、前記結像レンズの成形をより簡単にするとともに、材料のコストを低減させる。
【図面の簡単な説明】
【００１５】
【図１】関連技術における結像レンズの構成を示す模式図である。
【図２】本発明ににより提供される結像レンズの構成を示す模式図である。
【図３】図１に示す結像レンズの鏡筒壁の構成を示す模式図である。
【図４】図１に示す結像レンズのスペーサーアセンブリの構成を示す模式図である。
【発明を実施するための形態】
【００１６】
以下、本発明の実施例における図面を参照しながら、本願発明の実施例における技術案を明確に、完全に説明する。当然ながら、説明される実施例は、本発明の全部の実施例ではなく、本発明の一部の実施例にすぎない。当業者が本発明の実施例に基づき創造的労働を要せず、得られた全ての他の実施例は、全て本発明の保護範囲に含まれる。
【００１７】
図２に示すように、図２は、本発明ににより提供された結像レンズの構成を示す模式図である。前記結像レンズ１００は、結像アセンブリ１と、プレススペーサー部材２と、収容空間３５を有する鏡筒３と、スペーサーアセンブリ４とを備える。
【００１８】
前記結像アセンブリ１は、物体近接素子１１と、像近接素子１３とを備え、前記物体近接素子１１の数は５つであり、前記像近接素子１３の数は１つであり、５つの前記物体近接素子１１と１つの前記像近接素子１３とは、物体側から前記像側への方向において順次に間隔を隔てて前記収容空間３５内に設置されており、前記像近接素子１３とそれに隣接する前記物体近接素子１１との間に前記スペーサーアセンブリ４が設置されている。本実施形態において、前記結像アセンブリ１はレンズである。本実施例において、前記物体近接素子１１の数は５つであり、前記像近接素子１３の数は１つであるが、他の実施例において、前記物体近接素子１１と前記像近接素子１３の数は必要に応じて任意に設置されてもよく、前記スペーサーアセンブリも任意の２つの前記物体近接素子１１の間、又は任意の２つの像近接素子１３の間に設置されてもよい。
【００１９】
本実施例において、前記プレススペーサー部材２の数は２つであり、且つ、前記プレススペーサー部材２は２つの隣接する前記物体近接素子１１の間に挟まれて設置されている。
【００２０】
図２、図３及び図４を参照すると、ここで、図３は図２に示す結像レンズの鏡筒壁の構成を示す模式図である。図４は図２に示す結像レンズのスペーサーアセンブリの構成を示す模式図である。
【００２１】
前記鏡筒３は鏡筒壁３３と収容空間３５とを備え、前記光軸と前記鏡筒３の中心軸は同一直線上に位置し、前記鏡筒壁３３は前記光軸を取り囲むように前記収容空間３５を形成しており、前記鏡筒壁３３は内表面３３１と前記内表面３３１に対向する外表面３３３とを備え、前記内表面３３１は前記物体近接素子１１に当接する内面３３１１と、前記内面３３１１から、前記光軸から離れる方向へ延伸する階段面３３１３と、階段面３３１３から、前記内面３３１１から離れる方向へ延伸し、前記スペーサーアセンブリ４と前記像近接素子１３に当接する壁面３３１５とを備える。
【００２２】
前記スペーサーアセンブリ４は、前記鏡筒壁３３に固定された固定部４１と、前記固定部４１から前記光軸の方向へ延伸する延伸部４３とを備える。
【００２３】
前記固定部４１は第１の固定面４１１と、第２の固定面４１３と、延伸壁４１５と、当接壁４１７と、第２の反射面４１９とを備え、前記第１の固定面４１１と前記第２の固定面４１３は物体側から像側への方向において対向して前記固定部４１に設置されており、前記第１の固定面４１１は前記階段面３３１３と間隔を隔てて設置されており、前記第２の固定面４１３は前記像近接素子１３に当接しており、前記延伸壁４１５は前記第１の固定面４１１から前記第２の固定面４１３へ延伸し、且つ前記第２の固定面４１３まで延伸していない。前記延伸壁４１５から前記光軸までの水平距離は、前記像近接素子１３に隣接する前記物体近接素子１１の外側面から前記光軸までの水平距離よりも小さく、前記第２の反射面４１９は固定部４１に設けられ、前記第２の固定面４１３から前記光軸の方向へ傾斜延伸し、前記延伸壁４１５における、像近接素子１３に近い一端まで傾斜延伸している。前記当接壁４１７は前記延伸壁４１５と対向設置されていると共に、前記第１の固定面４１１と前記第２の固定面４１３とを接続する。前記当接壁４１７は前記壁面３３１５に当接している。前記第２の反射面４１９は傾斜平面である。
【００２４】
前記延伸部４３は上表面４３１と、像近接素子１３に正対向する第１の反射面４３３と、傾斜壁４３５とを備え、前記延伸部４３は前記固定部４１と一体的に成形されている。前記上表面４３１は延伸壁４１５における、前記物体近接素子１１に近い一端から前記光軸３１の方向へ延伸し、前記上表面４３１は前記第１の固定面４１１と同一平面に位置し、且つ、前記上表面４３１は前記像近接素子１３に隣接する前記物体近接素子１１に当接している。前記第１の反射面４３３は前記延伸部４３に設けられており、前記延伸壁４１５における、前記物体近接素子１１に近い一端から前記光軸の方向へ延伸している。前記傾斜壁４３５は前記上表面４３１から前記光軸３１に近づく方向へ延伸しており、且つ、前記上表面４３１と前記第１の反射面４３３とを接続する。前記第１の反射面４３３は水平平面であり、前記第１の反射面４３３と前記第２の反射面４１９との間のなす角は鈍角である。
【００２５】
本実施例において、前記スペーサーアセンブリ４はプラスチック製のスペーサーアセンブリである。
関連技術に比べ、本発明に係る結像レンズ１００は、以下の有益な効果を有する。
１．前記第１の反射面４３３と前記第２の反射面４１９を組み合わせて使用することで、前記像近接素子１３からの光線は、前記スペーサーアセンブリ４に２回反射され、これにより、前記スペーサーアセンブリ４の吸光性を大幅に向上させ、前記スペーサーアセンブリ４により反射された迷光を最大限に解消する。
２．前記第１の反射面４３３は水平平面であり、前記第２の反射面４１９は傾斜平面であり、つや消しの処理に有利であり、前記スペーサーアセンブリ４の吸光性も向上させる。
３．関連技術におけるプラスチックのスペーサー部材とプレススペーサーアセンブリとが共に設けられた複雑な構成の代わりに、前記結像レンズ１００は、簡単な前記スペーサーアセンブリ４を設置することにより、前記結像レンズ１００の成形をより簡単にするとともに、材料のコストを低減させる。
【００２６】
本実施例において、説明された前記結像アセンブリ１はレンズであり、前記スペーサーアセンブリ４はプラスチック製のスペーサーアセンブリである。
【００２７】
上述したのは、本発明の実施形態に過ぎず、当業者にとっては、本発明の主旨を逸脱しない限り、さらに改良することができ、これらの変更はすべて本発明の保護範囲に含まれる。
【図１】
2018013758.tif 000003
【図２】
2018013758.tif 000004
【図３】
2018013758.tif 000005
【図４】
2018013758.tif 000006